(57)【特許請求の範囲】
【請求項１】
遊技の進行に応じて種々の演出を行う演出装置を備えた遊技機であって、
前記演出装置は、
ベース部材と、
前記ベース部材に取付固定され、遊技の進行に対応して予め定められた識別情報を表示する固定表示部を有する固定表示手段と、
所定の駆動力を付与する駆動手段と、
前記駆動手段による駆動力を受けて通常位置と駆動位置との間で移動可能に形成されており、第１当接部を有する第１可動体と、
前記固定表示部の視認を遮る閉塞位置と前記固定表示部の視認を許容する露出位置との間で移動可能に構成されており、前記第１当接部と当接可能な第２当接部を有する第２可動体と、
前記第２可動体を前記閉塞位置に向けて付勢する付勢手段とを備え、
前記第２可動体は、
前記第１可動体が前記通常位置から前記駆動位置へ移動する時には、前記第２当接部が前記第１当接部と当接しながら前記閉塞位置から前記露出位置へ移動し、
前記第１可動体が前記駆動位置から前記通常位置へ移動する時には、前記付勢手段の付勢力を受けて前記露出位置から前記閉塞位置へ移動することを特徴とする遊技機。
【請求項２】
第２可動体は、遊技の進行に対応して予め定められた識別情報を表示する識別表示部を有する識別表示手段を備えている請求項１記載の遊技機。
【請求項３】
識別表示手段は、第２可動体が閉塞位置に位置している時は、識別表示部が固定表示手段の前側に位置するように構成されている請求項２記載の遊技機。
【請求項４】
第１当接部と第２当接部とが面接触するように形成されている請求項１〜３のいずれかに記載の遊技機。
【発明の詳細な説明】
【技術分野】
【０００１】
本発明は、遊技の演出を行うための演出装置を備えた遊技機に関する。
【背景技術】
【０００２】
パチンコ機をはじめとする遊技機では、遊技の進行に応じて種々の演出が行われる。近年は、演出の内容も多様化する傾向にあり、遊技盤に形成されている遊技領域にセンター役物等の各種演出装置を設けることが多くなっている。演出装置は、近年は液晶表示装置等を用いて種々の画像やアニメーションを表示するように構成されていたり、可動体を備えているものがある。可動体を備えている演出装置の場合は、遊技の進行に応じて可動体を動作させることにより、遊技者の興趣を向上させる演出を行う。そのため、このような演出装置は、複数の可動体を備えていることが多く、遊技の進行状況に応じて、これら複数の可動体の動作パターンを変えたりする等して遊技者の興趣を向上させる演出を行っている。
【０００３】
このような演出装置は、例えば特許文献１に記載されている。特許文献１には、複数の可動体と、これら複数の可動体のそれぞれに対して駆動手段を備えており、これら駆動手段によって該駆動手段に対応する可動体を動作させて遊技の演出を行う遊技機用の演出装置が開示されている。
【先行技術文献】
【特許文献】
【０００４】
【特許文献１】特開２００７−３７７２９号公報
【発明の概要】
【発明が解決しようとする課題】
【０００５】
近年の遊技機は、遊技盤や裏ユニットに取り付ける部品の数が増大する傾向にある。その一方で、遊技盤や裏ユニットの大きさは一定であるため、取り付けられる部品一つ一つを小型化して、スペース効率を確保することは、大きな課題の一つになっている。しかしながら、特許文献１に記載されている演出装置は、複数の可動体のそれぞれに対して駆動手段を設けているため、演出装置の構成が複雑になるとともに、複数の駆動手段が演出装置の本体から後方へ突出して配設されることになるために演出装置自体も大型化するという問題がある。そのため、特許文献１に記載された演出装置を遊技盤に取り付けた時のスペース効率を確保することができないという問題も生じる。
【０００６】
本発明は、上記した問題点に鑑みてなされたものであり、全体的な大きさを小型化してスペース効率を確保することができ、かつ遊技の興趣を向上させることが可能な演出を行うことのできる遊技機を提供することを目的とする。
【課題を解決するための手段】
【０００７】
本発明は、
（１）遊技の進行に応じて種々の演出を行う演出装置を備えた遊技機であって、前記演出装置は、ベース部材と、前記ベース部材に取付固定され、遊技の進行に対応して予め定められた識別情報を表示する固定表示部を有する固定表示手段と、所定の駆動力を付与する駆動手段と、前記駆動手段による駆動力を受けて通常位置と駆動位置との間で移動可能に形成されており、第１当接部を有する第１可動体と、前記固定表示部の視認を遮る閉塞位置と前記固定表示部の視認を許容する露出位置との間で移動可能に構成されており、前記第１当接部と当接可能な第２当接部を有する第２可動体と、前記第２可動体を前記閉塞位置に向けて付勢する付勢手段とを備え、前記第２可動体は、前記第１可動体が前記通常位置から前記駆動位置へ移動する時には、前記第２当接部が前記第１当接部と当接しながら前記閉塞位置から前記露出位置へ移動し、前記第１可動体が前記駆動位置から前記通常位置へ移動する時には、前記付勢手段の付勢力を受けて前記露出位置から前記閉塞位置へ移動することを特徴とする遊技機、
（２）第２可動体は、遊技の進行に対応して予め定められた識別情報を表示する識別表示部を有する識別表示手段を備えている上記（１）記載の遊技機、
（３）識別表示手段は、第２可動体が閉塞位置に位置している時は、識別表示部が固定表示手段の前側に位置するように構成されている上記（２）記載の遊技機、
（４）第１当接部と第２当接部とが面接触するように形成されている上記（１）〜（３）のいずれかに記載の遊技機、
を要旨とする。
【発明の効果】
【０００８】
本発明によれば、演出装置を全体的に小型化してスペース効率を確保することができ、また遊技者の興趣を大幅に向上させることができる演出を行うことが可能になる。
【図面の簡単な説明】
【０００９】
【図１】本発明の実施の形態に係る遊技機の正面図である。
【図２】（ａ）図は、固定表示部が視認されない状態の表示演出部を表面から示す外観斜視図であり、（ｂ）図は、固定表示部が視認可能な状態の表示演出部を表面から示す外観斜視図である。
【図３】（ａ）図は、固定表示部が視認されない状態の表示演出部を裏面から示す外観斜視図であり、（ｂ）図は、固定表示部が視認可能な状態の表示演出部を裏面から示す外観斜視図である。
【図４】表示演出部の構成を表面側から示す分解斜視図である。
【図５】表示演出部の構成を裏面側から示す分解斜視図である。
【図６】第１可動体が通常位置と駆動位置との間で移動し、第２可動体が閉塞位置と露出位置との間で移動している時の状態を表した説明図である。
【図７】第１可動体が駆動位置に位置し、第２可動体が露出位置に位置する時の状態を表した説明図である。
【発明を実施するための形態】
【００１０】
本発明に係る遊技機の実施の形態について、図面を用いて具体的に説明する。なお、本明細書では、本発明に係る遊技機の例としてパチンコ遊技機（以下、単に遊技機と言う。）を用いて説明するが、本発明はパチンコ遊技機以外の遊技機にも使用することができる。また、本明細書においては、遊技機及び遊技機を構成する各部材の「前側」、「後側」、「上側」、「下側」、「左側」及び「右側」は、遊技機を正面から見た場合における表面側（前面側）、背面側（後面側）、「上側」、「下側」、「左側」及び「右側」を示すものとする。また、本明細書においては、遊技球が各種入賞口に流入することを「入賞」と言い、遊技球が入賞することによって遊技者に払い出される遊技球のことを「賞球」と言う。
【００１１】
図１に示すように、遊技機１は、機体の外郭を構成する縦長方形の外枠２を備えている。この外枠２の開口前面側には、縦長方形の中枠３が着脱自在に組み付けられている。中枠３は、全体的に合成樹脂材料を用いて形成されており、内部に遊技盤１１等を取付固定することができるように構成されている。前枠４は、中枠３の前面側に、該前枠４の左側に設けられたヒンジを中心に中枠３に対して横開きをすることができるように開閉自在に組み付けられている。前枠４は、ガラス板５を備えており、遊技者が遊技盤１１を視認することができ、かつ遊技盤１１を保護することができるように構成されている。また、前枠４は、遊技に使用する遊技球を一時的に貯留する上受け皿６と、上受け皿６から溢れ出て流下した遊技球を貯留する下受け皿７とをガラス板５の下方に備えている。
【００１２】
遊技機１は、遊技盤１１に向けて遊技機１を弾発するための発射装置を備えており、この発射装置の弾発強さを操作ハンドル８の回動量によって調節することができるように構成されている。また、上受け皿６には、遊技球を貯留する貯留スペースの前側に、遊技者が遊技中に押圧操作する各種ボタン９ａ，９ｂ，９ｃが配置されている。また、遊技機１の上部には、音声を出力するためのスピーカ１０が設けられている。
【００１３】
遊技盤１１は、アクリルやポリカーボネート等の合成樹脂材料で略正方形に形成された平板状の部材である。この遊技盤１１の背面側には、裏ユニット（図示せず）がビス等によって取付固定されている。遊技盤１１には、センター役物としての演出装置１２の装飾枠１３を取り付けるための開口部が略中央部に開口形成されている。また、遊技盤１１の表面には、発射装置で弾発された遊技球を遊技盤１１の上部へ案内する案内レール１５が設けられている。また、遊技盤１１には、案内レール１５により遊技盤１１の上部に案内された遊技球が遊技盤１１の下部に向けて流下する遊技領域１６が形成されている。
【００１４】
遊技領域１６には、演出装置１２を視認可能にするとともに装飾枠１３を取り付けるための開口部が略中央部に開口形成されている。また、遊技領域１６には、第１始動入賞装置ユニット２１、大入賞装置２２、通過入賞装置２３及び第２始動入賞装置ユニット２４等の各種入賞装置ユニット等が設けられている。また、遊技領域１６には、多数の誘導釘２５が打たれている。遊技領域１６を流下する遊技球は、誘導釘２５に当たって流下方向を変化させながら、遊技領域１６の上部から下部に向かって流下する。遊技領域１６を流下する遊技球の一部は、各種入賞装置に設けられている各種入賞口（図示せず）に入賞する。また、遊技領域１６を流下する遊技球のうち、各種入賞口に入賞しなかった遊技球は、遊技領域１６の最下部に設けられた第１アウト口２６又は第１始動入賞装置ユニット２１に形成されている後述する第２アウト口２９に流入する。
【００１５】
第１始動入賞装置ユニット２１は、遊技盤１１において演出装置１２の下方であって該遊技盤１１の左右方向中央よりも左側の案内レール１５寄りにネジ止め等の方法で取付固定されている。第１始動入賞装置ユニット２１は、第１始動入賞口（図示せず）が形成され第１始動入賞装置２７、第１普通入賞口（図示せず）を有する第１普通入賞装置２８及び第２アウト口２９が第１始動入賞装置用ベース部材３０に設けられて構成されている。これら第１始動入賞口、第１普通入賞口及び第２アウト口２９は、いずれも遊技球が入賞可能な大きさに開口形成されている。遊技機１では、第１普通入賞口に遊技球が入賞すると、遊技機１において遊技者に不利な通常遊技状態から遊技者に有利な特別遊技状態に移行するか否かを抽選する大当り抽選を行う。また、第２アウト口２９には、第１始動入賞装置ユニット２１に向けて流下してきて、第１普通入賞口及び第１始動入賞口のいずれにも入賞しなかった遊技球が流入する。
【００１６】
大入賞装置２２は、遊技盤１１において演出装置１２の下方であって該遊技盤１１の左右方向中央よりも右側にネジ止め等の方法で取付固定されている。大入賞装置２２は、大入賞装置用ベース部材３１に大入賞口（図示せず）が開口形成されると共に、この大入賞口を開閉する扉部材３２が大入賞装置用ベース部材３１に開閉自在に取り付けられている。遊技機１では、上記した大当り抽選に当選して通常遊技状態から特別遊技状態へ移行した場合に、所定個数（例えば１０個）の遊技球が入賞するか、又は所定時間（例えば３０秒）が経過するまでの間、扉部材３２が開いて大入賞口に遊技球が入賞し、その入賞した遊技球の数に対応した数の賞球を払い出す。
【００１７】
通過入賞装置２３は、遊技盤１１の上下方向の略中央であって、該遊技盤１１の左右方向中央よりも右側にネジ止め等の方法で取付固定されている。通過入賞装置２３は、遊技球が通過可能な大きさに形成された通過入賞口（図示せず）を有している。遊技球が通過入賞口を通過すると、予め定められた確率の下で抽選を行う。抽選の結果は、遊技盤１１の下部に設けられている普通図柄表示装置３３に表示される。
【００１８】
第２始動入賞装置ユニット２４は、遊技盤１１において通過入賞装置２３と大入賞装置２２との間の高さ位置であって、遊技盤１１の左右方向中央よりも右側にネジ止め等の方法で取付固定されている。第２始動入賞装置ユニット２４は、第２始動入賞口（図示せず）が形成されるとともに、該第２始動入賞口を開閉するための開閉扉３４が設けられた第２始動入賞装置３５、第２普通入賞口（図示せず）を有する第２普通入賞装置３６、第３普通入賞口（図示せず）を有する第３普通入賞装置３７が第２始動入賞装置用ベース部材３８に設けられて構成されている。これら第２始動入賞口、第２普通入賞口及び第３普通入賞口は、いずれも遊技球が入賞可能な大きさに開口形成されている。遊技機１では、第２始動入賞口に遊技球が入賞すると、通常遊技状態から特別遊技状態へ移行するか否かを抽選する大当り抽選を行う。大当り抽選の結果は、普通図柄表示装置３３とともに遊技盤１１の下部に設けられている特別図柄表示装置３９で表示する。
【００１９】
演出装置１２は、遊技機１の裏ユニットに取付固定されている。演出装置１２は演出体４１を備えている。この演出体４１は、本実施の形態ではピエロの形状を有しているが、演出体４１の形状はこれに限定されるものではない。演出体４１は、第１発光演出部４２、第２発光演出部４３及び表示演出部４４を備えている。第１発光演出部４２及び第２発光演出部４３は、ＬＥＤ等のような従来から公知の発光部材を用いて、遊技の進捗に応じた発光態様で発光させるように構成されている。これら第１発光演出部４２及び第２発光演出部４３は、演出体４１の所定位置に設けられており、具体的には、本実施の形態では、ピエロの形状をした演出体４１の左目部分に第１発光演出部４２が設けられ、右目部分に第２発光演出部４３が設けられている。
【００２０】
表示演出部４４は、演出装置１２において、演出体４１の所定箇所に設けられている。具体的には、本実施の形態では、ピエロの形状をした演出体４１の下顎部分に設けられている。図２及び図３に示すように、ベース部材４５、固定表示手段としての固定表示装置４６、駆動手段としての駆動モータ４７、第１可動体４８、第２可動体４９、識別表示手段としての可動表示装置５０及び付勢手段としてのバネ部材５１及びカバー部材５２を備えている。
【００２１】
ベース部材４５は、表示演出部４４のベースとなる部材である。図４及び図５に示すように、ベース部材４５は、駆動モータ用孔部６１、固定表示装置取付部６２、第１長孔部６３及び第２長孔部６４を有している。駆動モータ用孔部６１は、後述するカバー部材５２に取付固定される駆動モータ４７が、ベース部材４５を該カバー部材５２に取り付けた時に該ベース部材４５と干渉しないようにするためのもので、駆動モータ４７が挿通可能な大きさに開口形成されている。また、固定表示装置取付部６２は、ベース部材４５の左右方向略中央部に形成されており、固定表示装置４６が取付固定されるようになっている。本実施の形態では、この固定表示装置取付部６２には、固定表示装置４６がネジ止め等の方法で取付固定することができるように形成されているが、取付固定する方法は他の方法であってもよい。
【００２２】
第１長孔部６３は、上下方向に延びる長孔状に形成された一対の孔部であり、固定表示装置取付部６２を挟むように該固定表示装置取付部６２の左右に形成されている。この第１長孔部６３は、ベース部材４５の表面側に設けられる可動表示装置５０と後述する第１可動体４８とを連結する第１連結部材６７が該第１長孔部６３内を上下方向に移動できるように形成されている。
【００２３】
第２長孔部６４は、上下方向に延びる長孔状に形成された一対の孔部であり、固定表示装置取付部６２及び第１長孔部６３を挟むように該第１長孔部６３の左右に形成されている。この第２長孔部６４は、ベース部材４５の表面側に設けられる後述する可動装飾体６８と、ベース部材４５の裏面側に配置される第２可動体４９とを連結する第２連結部材６９が該第２長孔部６４内を上下方向に移動することができるように形成されている。これら第１長孔部６３及び第２長孔部６４は、上下方向に延びる長手方向の長さが同じであってもよいし、異なっていてもよい。また、ベース部材４５には、裏側に、後述するバネ部材５１の一端部を引っ掛けるための第１引っ掛け部６５が裏側に形成されている。
【００２４】
固定表示装置４６は、ベース部材４５の固定表示装置取付部６２に取付固定されている。また、固定表示装置４６は、前側に固定表示部６６を有している。固定表示部６６は、遊技の進行に対応して予め定められた識別情報を表示するためのもので、３個の７セグメント表示器を左右方向に並べて構成されている。なお、本実施の形態では、固定表示部６６に７セグメント表示器を使用している例を用いているが、固定表示部６６には７セグメント表示器以外の従来から公知の各種表示器を任意に選択して用いてよい。
【００２５】
駆動モータ４７は、外部からの電力の供給を受けて所定の駆動力を第１可動体４８に付与するためのものであり、カバー部材５２の表面側に取付固定されている。このとき、駆動モータ４７は、カバー部材５２の挿通孔８２に駆動軸４７ａを挿通させ、駆動軸４７ａの先端に設けられた駆動ギヤ８５はカバー部材５２の裏側に位置させた状態で該カバー部材５２に取付固定されている。
【００２６】
第１可動体４８は、ベース部材４５の裏側に配置されている部材であり、左右方向の中央部が該左右方向両端部よりも後側に位置するように形成されている。また、中央部には、左右方向に延びる長孔形状をした伝達受け部８９が形成されている。伝達受け部８９は、第２従動ギヤ８７の伝達部８８が内部に配置可能な大きさに形成されており、第２従動ギヤ８７の回転に伴って、伝達受け部８９内における伝達部８８の左右方向への動きを許容することができる長さに形成されている。両端部には、第１連結部材６７と連結するための第１連結受け部９１が形成されている。また、第１可動体４８の下面には、第１当接部９２が形成されている。この第１当接部９２は、第２可動体４９の後述する第２当接部と当接することができるように形成されたものである。この第１当接部９２と第２当接部とは、互いに面接触するように形成することが好ましい。
【００２７】
この第１可動体４８は、第２従動ギヤ８７から伝達される駆動力を受けて、通常位置と駆動位置との間で移動することが可能に形成されている。ここで、「通常位置」とは、遊技機１の稼働時において通常時にある位置を意味し、可動表示装置５０が固定表示装置４６の固定表示部６６の前に位置するように、第１可動体４８が位置しているその位置のことを意味する。また、「駆動位置」とは、可動表示装置５０の可動表示部及び固定表示装置４６の固定表示部６６のいずれをも視認することができるように可動表示装置５０を位置させているその位置のことを意味する。
【００２８】
第２可動体４９は、ベース部材４５の裏側であって、該ベース部材４５と第１可動体４８との間に位置するように配置されている。この第２可動体４９は、第２連結部材６９が取付固定される第２連結受け部９３が形成されており、第２連結部材６９を介して可動表示装置５０を閉塞位置と露出位置との間で移動させることができるように構成されている。ここで、「閉塞位置」とは、固定表示装置４６の固定表示部６６の前に可動表示装置５０が存在する位置を意味し、「露出位置」とは、可動表示装置５０が固定表示部６６よりも下方向に移動し、固定表示部６６が露出される位置を意味する。また、第２可動体４９には、第１当接部９２と当接させるための第２当接部９５が下部に形成され、さらにバネ部材５１の他端が取り付けられる第２バネ取付部７８が表面側の下部に形成されている。
【００２９】
可動表示装置５０は、ベース部材４５の前側に配置されている。この可動表示装置５０は、第２連結部材６９を介してベース部材４５の裏側に配置されている第２可動体４９と連結固定されている。第２連結部材６９は第２長孔部６４内を挿通するように配置されており、ベース部材４５の前側に配置されている可動表示装置５０とベース部材４５の裏側に配置されている第２可動体４９とを連結している。可動表示装置５０は、表示装置本体７１と可動基台７２とを備えており、可動基台７２の前側に表示装置本体７１が取付固定されている。表示装置本体７１は、遊技の進行に対応して予め定められた識別情報を表示する識別表示部７３を有している。この識別表示部７３は、表示装置本体７１の前側に設けられており、遊技機１に取付固定された時に、遊技者が視認することができる向きに配置されている。この識別表示部７３は、本実施の形態では、多数のドットを任意に点灯させることで識別情報を表示するドットマトリクス表示器が用いられている。なお、識別表示部７３に用いられる表示器としては、上記したドットマトリクス表示器に限定されるものではない。遊技機の演出を多様化して遊技の興趣を向上させるような演出を行う観点から、識別表示部７３に用いられる表示器は、固定表示部６６に用いられる表示器とは異なる表示器を用いることが好ましい。可動基台７２は、可動表示装置５０におけるベースとなる部材であり、表示装置本体７１を取付固定する取付部７８と、取付部７８から後方に延出するように形成されて第２連結部材６９が取り付けられる第２連結固定部７９が形成されている。また、可動表示装置５０には、下部から下方へ延出する方向へ所定の装飾を有する装飾部材７０が取付固定されている。
【００３０】
可動装飾体６８は、可動装飾部７４と、可動装飾部７４を取付固定する可動ベース部材７５とを備えている。可動装飾部７４は、遊技機１のコンセプトに応じた種々の装飾を施したもので、本実施の形態では、ピエロの下唇を模した装飾が施されている。この可動装飾部７４は、可動ベース部材７５の表側に取付固定されており、遊技者が視認できる位置に設けられている。可動ベース部材７５は、可動装飾体６８の基体となるもので、可動装飾部７４が取り付けられる取付固定部７６と、第１連結固定部７７とを有している。第１連結固定部７７は、取付固定部７６から後方に延出するように形成されており、第１連結部材６７を取り付けることができるように構成されている。
このように構成された可動装飾体６８は、ベース部材４５及び可動表示装置５０の前側に位置するように設けられている。この可動装飾体６８は、第１連結部材６７を介して、ベース部材４５の裏側に設けられている第１可動体４８と連結している。第１連結部材６７は、第１長孔部６３を挿通するように配置されており、ベース部材４５の前側に配置されている可動装飾体６８とベース部材４５の裏側に配置されている第１可動体４８とを連結している。
【００３１】
バネ部材５１は、第２可動体４９が露出位置に位置している時に、該第２可動体４９及びこの第２可動体４９と連結している可動表示装置５０が閉塞位置に向けて移動する方向への付勢力を生じさせるためのものである。このバネ部材５１は、一端部がベース部材４５の第１引っ掛け部６５に引っ掛けられ、他端部が第２可動体４９の第２引っ掛け部９４に引っ掛けれて、これらベース部材４５及び第２可動体４９の間に取り付けられている。
【００３２】
カバー部材５２は、ベース部材４５の裏側にネジ止め等の方法によって取付固定することができるように構成されている。このカバー部材５２には、駆動モータ４７を取付固定する駆動モータ取付部８１と、駆動モータ４７の駆動軸４７ａが挿通可能に貫通形成された挿通孔８２と、後述する第１従動ギヤ８６を回転自在に取り付ける第１従動ギヤ取付部８３と、後述する第２従動ギヤ８７を回転自在に取り付ける第２従動ギヤ取付部８４とを有している。これら挿通孔８２、第１従動ギヤ取付部８３及び第２従動ギヤ取付部８４は、駆動ギヤ８５が第１従動ギヤ８６と噛み合い、第１従動ギヤ８６が駆動ギヤ８５及び第２従動ギヤ８７と噛み合うことができる位置に形成されている。
【００３３】
第１従動ギヤ８６は、カバー部材５２の第１従動ギヤ取付部８３に軸部材（図示せず）を介して回転自在に取付固定されている。この第１従動ギヤ８６は、駆動ギヤ８５及び第２従動ギヤ８７と噛み合っており、駆動モータ４７の回転駆動による回転力を受けて、回転し、その回転力を第２従動ギヤ８７に伝達するように構成されている。
【００３４】
第２従動ギヤ８７は、カバー部材５２の第２従動ギヤ取付部８４に軸部材（図示せず）を介して回転自在に取付固定されている。この第２従動ギヤ８７は、第１従動ギヤ８６と噛み合うように構成されている。また、第２従動ギヤ８７には、表面側に突起状の伝達部８８が形成されている。この伝達部８８は、第１可動体４８に形成されている伝達受け部８９の中に配置することができる大きさに形成されている。このように形成された第２従動ギヤ８７は、第１従動ギヤ８６から回転力が付与されるとそれに伴って回転し、伝達部８８においてその回転力を第１可動体４８に付与するように構成されている。
【００３５】
次に、本実施の形態に係る作用効果について説明する。本実施の形態に係る遊技機１は、通常は表示演出部４４を図１及び図２（ａ）に示す状態を維持している。即ち、遊技機１は、表示演出部４４における第１可動体４８を通常位置に位置させるとともに第２可動体４９を閉塞位置に位置させて、可動表示装置５０が固定表示装置４６の前側に位置している。したがって、この時は、固定表示装置４６の固定表示部６６は、可動表示装置５０によって閉塞されており、遊技者は、可動表示装置５０の識別表示部７３のみを視認することができる。遊技機１では、通常遊技状態で遊技を行っている時は、このように、遊技者に対して識別表示部７３のみが視認させて、該識別表示部７３において表示される各種図柄等に基いて各種演出を行う。
【００３６】
次に、例えば遊技機１において所定の条件が成立した場合、例えば、大当り抽選に当選し、その結果を遊技者に知らせる場合などには、遊技機１は、駆動モータ４７を駆動させる。駆動モータ４７が駆動を開始すると、駆動軸４７ａの先端に取付固定されている駆動ギヤ８５が回転し、駆動ギヤ８５と噛み合っている第１従動ギヤ８６が回転を開始する。そして、第１従動ギヤ８６と噛み合っている第２従動ギヤ８７も回転を開始する。第２従動ギヤ８７は、伝達部８８が伝達受け部８９内に位置するように配置されているので、第２従動ギヤの回転に伴って伝達部８８が下方向及び左右方向へ移動すると、それに伴って伝達受け部８９が形成されている第１可動体４８が下方向に移動を開始する。即ち、第１可動体４８は、通常位置から駆動位置に向けての移動を開始する。この時、第１可動体は、第１連結部材６７を介して可動装飾体６８と連結しているので、第１可動体４８が下方向に移動を開始すると、それに伴って可動装飾体６８も下方向に移動を開始する。
【００３７】
また、第１可動体４８が下方向に移動を開始すると、該第１可動体４８に形成されている第１当接部９２が第２可動体４９の第２当接部９５と当接する。そして、第１可動体４８の下方向への移動に伴い、第２可動体４９も、第１当接部９２と第２当接部９５とが当接しているために、下方向への移動を開始する。即ち、第２可動体４９は、第１可動体４８の移動に伴って閉塞位置から露出位置へ向けて下方向に移動を開始する。この時、第１可動体４８には、第２引っ掛け部９４においてバネ部材５１の他端部が引っ掛けられているため、第１可動体４８が下方向へ移動を開始すると、バネ部材５１が伸びる方向に変形し、この変形に伴う付勢力が第１可動体４８には作用する。この付勢力は、バネ部材５１が元の形状に戻ろうとする方向、即ち、第１可動体４８を上方向に引張る方向の力となる。第１可動体４８が下方向へ移動をする時の力の大きさは、このバネ部材５１による付勢力の大きさよりも大きくなる。
【００３８】
このように、第１可動体４８及び第２可動体４９が下方向へ移動を開始すると、第１可動体４８と連結している可動装飾体６８及び第２可動体４９と連結している可動表示装置５０も共に下方向への移動を開始する。可動装飾体６８及び可動表示装置５０が下方向へ移動を開始すると、表示演出部４４では、徐々に固定表示装置４６が露出し、併せて固定表示部６６も視認することができる状態になる。図６に、可動装飾体６８及び可動表示装置５０が下方向へ移動している途中の状態を表す。
【００３９】
そして、第２従動ギヤ８７の回転に伴って伝達部８８の位置が最下端に位置するまで、第１可動体４８及び第２可動体４９はさらに下方向へ移動し、伝達部８８の位置が最下端に位置した時に、第１可動体４８が駆動位置に位置し、第２可動体４９が露出位置に到達する。この時、第１可動体４８が駆動位置に到達し、第２可動体４９が露出位置に到達したことに伴って、第１可動体４８と連結している可動装飾体６８及び第２可動体４９と連結している可動表示装置５０も最下端位置に到達する。これら可動装飾体６８及び可動表示装置５０が最下端位置に位置した時は、図７に示すように、固定表示装置４６の固定表示部６６を視認することができる。
【００４０】
このように、本実施の形態に係る遊技機によれば、可動装飾体６８及び可動表示装置５０が最下位置に位置している場合には、遊技者は、可動表示装置５０の識別表示部７３において表示される各種図柄等を視認することができるのみならず、固定表示装置４６の固定表示部６６において表示される各種図柄等も同時に視認することができる。特に、本実施の形態に係る遊技機１の場合は、固定表示部６６及び識別表示部７３に用いる表示器にそれぞれ異なる表示器を使用しているので、これら固定表示部６６及び識別表示部７３における表示態様に大きな変化を持たせることができる。したがって、遊技者の興趣をさらに大幅に向上させるような演出を行うことが可能になる。なお、本発明に係る遊技機においては、このように、固定表示部６６及び識別表示部７３のいずれもが視認できる状態に所定条件が成立するまで維持してもよいし、このように固定表示部６３及び識別表示部７３のいずれもが視認できる状態となった後、連続的に駆動モータ４７を駆動させて、識別表示部７３のみを視認できる状態にしてもよい。本実施の形態では、例えば特別遊技状態から通常遊技状態へ移行するというような所定の条件が成立するまでは、固定表示部６３及び識別表示部７３のいずれもが視認できる状態を維持するものとして説明する。
【００４１】
上記した通り、固定表示部６３及び識別表示部７３のいずれもが視認できる状態が維持されている時に所定の条件が成立すると、遊技機１は、更に駆動モータ４７の駆動を開始する。駆動モータ４７が駆動を開始すると、駆動ギヤ８５及び第１従動ギヤ８６を介して第２従動ギヤ８７が回転を開始する。この場合、第２従動ギヤ８７の回転に伴って伝達部８８の位置が変化するが、この時、伝達部８８は上方向に向けて移動する。
【００４２】
伝達部８８が上方向に向けて移動を開始すると、それに伴って伝達受け部８９が上方向への力を受ける。そして、伝達受け部８９において受けた力によって、該伝達受け部８９が形成されている第１可動体４８は駆動位置から通常位置に向けて移動を開始する。第１可動体４８が移動を開始すると、それまで第２可動体４９に対して付与していた力の大きさよりもバネ部材５１によって第２可動体４９に対して作用していた付勢力の大きさの方が大きくなる。そのため、第１可動体４８が駆動位置から通常位置に向けて移動を開始すると、それに伴って、第２可動体４９も付勢力によって露出位置から閉塞位置に向けての移動を開始する。この時、第１可動体４８及び第２可動体４９は、一体的に移動してもよいし、別体的に移動してもよい。
【００４３】
そして、伝達部８８の位置が第２従動ギヤ８７の回転に伴って位置する際の最上端位置に到達すると、第１可動体４８は通常位置に到達し、第２可動体４９は閉塞位置に到達する。また、これに伴って、可動表示装置５０は、図１及び図２（ａ）に示すように、固定表示装置４６の前側に位置するようになる。そのため、遊技者は、固定表示装置４６の識別表示部７３のみを視認することができるようになり、この場合には識別表示部７３における各種図柄等の表示によって各種の演出を行う。
【００４４】
このように、本発明に係る遊技機によれば、第２可動体が通常位置から駆動位置へ移動する第１可動体と当接しながら閉塞位置から露出位置まで移動し、露出位置から閉塞位置まで移動するときは、バネ部材の付勢力を受けながら移動することになる。したがって、一つの駆動モータで第１可動体及び第２可動体のいずれをも移動させることができ、駆動モータの数を減少させることができる。さらに、このように駆動モータの数を減少させることに伴って、演出装置の部品点数も大幅に減少させることができ、演出装置を全体的に小型化することが可能になる。
【００４５】
また、演出装置を小型化することに伴って、演出装置を遊技盤等に取り付けた場合に、遊技盤等におけるスペース効率を向上させることも可能になる。さらに、本発明に係る遊技機によれば、第２可動体を閉塞位置と露出位置との間で移動させることで、固定表示装置の固定表示部を視認できるようにしたり、視認できなくなるようにすることができる。したがって、本発明に係る遊技機によれば、遊技の進行に応じた演出をより多様化することができ、遊技の興趣を大幅に向上させる演出を行うことが可能になる。
【００４６】
以上、本発明に係る遊技機の実施の形態について詳細に説明したが、本明細書に記載した遊技機の構成及び効果は、本発明に係る遊技機に関する一つの例を示したに過ぎず、これに限定されるものではない。また、本発明に係る遊技機においては、本発明の趣旨を逸脱しない範囲において、適宜その構成を変更してもよい。
【符号の説明】
【００４７】
１  遊技機
１１  遊技盤
１２  演出装置
１６  遊技領域
４１  演出体
４４  表示演出部
４５  ベース部材
４６  固定表示装置
４７  駆動モータ
４８  第１可動体
４９  第２可動体
５０  可動表示装置
５１  バネ部材
６６  固定表示部
７３  識別表示部
９２  第１当接部
９５  第２当接部
【図１】
0005981895.tif 000002
【図２】
0005981895.tif 000003
【図３】
0005981895.tif 000004
【図４】
0005981895.tif 000005
【図５】
0005981895.tif 000006
【図６】
0005981895.tif 000007
【図７】
0005981895.tif 000008